【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
像担持体と、前記像担持体上に静電潜像を形成する露光部と、前記静電潜像にトナーを付着させてトナー画像として現像する現像部と、前記像担持体と当接自在な転写材担持体と、前記像担持体と前記転写材担持体を介して当接され電圧印加により前記像担持体上のトナー画像を前記転写材担持体上に転写する第１の転写部材と、前記転写材担持体上のトナー画像を転写材に転写する第２の転写部材とを備える画像形成装置であって、
前記像担持体又は転写材担持体上に、濃度検知用トナー像に予め定められたトナーにより付加情報を重畳することにより予め定められたトナー像を形成する形成手段と、
前記予め定められたトナー像の濃度を検知する検知手段と、
前記濃度検知結果に基づいて画像形成条件を設定する設定手段と
を備えることを特徴とする画像形成装置。
【請求項２】
前記予め定められたトナーは、イエロートナーであることを特徴とする請求項１に記載の画像形成装置。
【請求項３】
前記予め定められたトナーは、前記濃度検知用トナー像と同一色のトナーであることを特徴とする請求項１又は２に記載の画像形成装置。
【請求項４】
前記予め定められたトナーは、前記濃度検知用トナー像と異なる色のトナーであることを特徴とする請求項１又は２に記載の画像形成装置。
【請求項５】
前記設定手段は、
前記濃度検知結果に基づいて、前記濃度検知用トナー像と同色のトナーの濃度を設定する濃度調整手段と、
前記設定されたトナー濃度を付加情報における前記予め定められたトナーの濃度を利用して補正する補正手段と
を備えることを特徴とする請求項４に記載の画像形成装置。
【請求項６】
前記付加情報は、画像形成装置の識別情報であることを特徴とする請求項１乃至５のいずれかに記載の画像形成装置。
【請求項７】
前記濃度検知用トナー像のトナーは、少なくともイエロー、マゼンダ、シアン及びブラックのいずれかであることを特徴とする請求項１乃至６のいずれかに記載の画像形成装置。
【請求項８】
像担持体と、前記像担持体上に静電潜像を形成する露光部と、前記静電潜像にトナーを付着させてトナー画像として現像する現像部と、前記像担持体と当接自在な転写材担持体と、前記像担持体と前記転写材担持体を介して当接され電圧印加により前記像担持体上のトナー画像を前記転写材担持体上に転写する第１の転写部材と、前記転写材担持体上のトナー画像を転写材に転写する第２の転写部材とを備える画像形成装置であって、
前記像担持体又は転写材担持体上に、濃度検知用トナー像を形成する形成手段と、
前記予め定められたトナー像の濃度を検知する検知手段と、
前記濃度検知結果に基づいて画像形成条件を設定する設定手段と、
前記設定された画像形成条件を、予め定められたトナーによる付加情報の濃度に基づいて補正する手段と
を備えることを特徴とする画像形成装置。
【請求項９】
前記補正後の画像形成条件を利用して画像形成が行われる際に、前記予め定められたトナーによる付加情報が前記像担持体に形成されるトナー像に重畳されることを特徴とする請求項８に記載の画像形成装置。
【請求項１０】
像担持体と、前記像担持体上に静電潜像を形成する露光部と、前記静電潜像にトナーを付着させてトナー画像として現像する現像部と、前記像担持体と当接自在な転写材担持体と、前記像担持体と前記転写材担持体を介して当接され電圧印加により前記像担持体上のトナー画像を前記転写材担持体上に転写する第１の転写部材と、前記転写材担持体上のトナー画像を転写材に転写する第２の転写部材とを備える画像形成装置の制御方法であって、
前記像担持体又は転写材担持体上に、濃度検知用トナー像に予め定められたトナーにより付加情報を重畳することにより予め定められたトナー像を形成する形成工程と、
前記予め定められたトナー像の濃度を検知する検知工程と、
前記濃度検知結果に基づいて画像形成条件を設定する設定工程と
を備えることを特徴とする画像形成装置の制御方法。
【請求項１１】
前記予め定められたトナーは、イエロートナーであることを特徴とする請求項１０に記載の画像形成装置の制御方法。
【請求項１２】
前記予め定められたトナーは、前記濃度検知用トナー像と同一色のトナーであることを特徴とする請求項１０又は１１に記載の画像形成装置の制御方法。
【請求項１３】
前記予め定められたトナーは、前記濃度検知用トナー像と異なる色のトナーであることを特徴とする請求項１０又は１１に記載の画像形成装置の制御方法。
【請求項１４】
前記設定工程では、
前記濃度検知結果に基づいて、前記濃度検知用トナー像と同色のトナーの濃度を設定する濃度調整工程と、
前記設定されたトナー濃度を付加情報における前記予め定められたトナーの濃度を利用して補正する補正工程と
を備えることを特徴とする請求項１３に記載の画像形成装置の制御方法。
【請求項１５】
前記付加情報は、画像形成装置の識別情報であることを特徴とする請求項１０乃至１４のいずれかに記載の画像形成装置の制御方法。
【請求項１６】
前記濃度検知用トナー像のトナーは、少なくともイエロー、マゼンダ、シアン及びブラックのいずれかであることを特徴とする請求項１０乃至１５のいずれかに記載の画像形成装置の制御方法。
【請求項１７】
像担持体と、前記像担持体上に静電潜像を形成する露光部と、前記静電潜像にトナーを付着させてトナー画像として現像する現像部と、前記像担持体と当接自在な転写材担持体と、前記像担持体と前記転写材担持体を介して当接され電圧印加により前記像担持体上のトナー画像を前記転写材担持体上に転写する第１の転写部材と、前記転写材担持体上のトナー画像を転写材に転写する第２の転写部材とを備える画像形成装置の制御方法であって、
前記像担持体又は転写材担持体上に、濃度検知用トナー像を形成する形成工程と、
前記予め定められたトナー像の濃度を検知する検知工程と、
前記濃度検知結果に基づいて画像形成条件を設定する設定工程と、
前記設定された画像形成条件を、予め定められたトナーによる付加情報の濃度に基づいて補正する工程と
を備えることを特徴とする画像形成装置の制御方法。
【請求項１８】
前記補正後の画像形成条件を利用して画像形成が行われる際に、前記予め定められたトナーによる付加情報が前記像担持体に形成されるトナー像に重畳されることを特徴とする請求項１７に記載の画像形成装置の制御方法。
【請求項１９】
請求項１０乃至請求項１８のいずれかに記載の画像形成装置の制御方法をコンピュータに実行させるための画像形成装置の制御プログラム。
【請求項２０】
請求項１９に記載の画像形成装置の制御プログラムを格納したコンピュータが読みとり可能な記憶媒体。
【手続補正２】
【補正対象書類名】明細書
【補正対象項目名】００２１
【補正方法】変更
【補正の内容】
【００２１】
上記課題を解決するための本発明は、像担持体と、前記像担持体上に静電潜像を形成する露光部と、前記静電潜像にトナーを付着させてトナー画像として現像する現像部と、前記像担持体と当接自在な転写材担持体と、前記像担持体と前記転写材担持体を介して当接され電圧印加により前記像担持体上のトナー画像を前記転写材担持体上に転写する第１の転写部材と、前記転写材担持体上のトナー画像を転写材に転写する第２の転写部材とを備える画像形成装置であって、前記像担持体又は転写材担持体上に、濃度検知用トナー像に予め定められたトナーにより付加情報を重畳することにより予め定められたトナー像を形成する形成手段と、前記予め定められたトナー像の濃度を検知する検知手段と、前記濃度検知結果に基づいて画像形成条件を設定する設定手段とを備える。